(57)【要約】  光ディスク再生装置１は、媒体選択ボタン１０１が操作されたときは、入力された媒体選択情報に従って、どの媒体が選択されたかを認識し、次いで、トレイ１０４をオープンする。次に、媒体選択ボタン１０１が操作されたときは、入力された媒体選択情報が確定したものとして、トレイ１０４をクローズする。次に、光ディスク再生装置１は、プライオリティリスト１６を取得し、取得したプライオリティリスト１６の内容を、選択された媒体の順位を最上位（１位）にして、他の媒体の順位を順次繰り下げるように修正する。光ディスク再生装置１は、更新されたプライオリティリスト１６の順位に従って、媒体ごとに媒体チェックを行う。
2008047413.tif 000002
【特許請求の範囲】
【請求項１】
情報記録媒体を装着する１つのトレイを備えており、再生可能な同一内径を有する複数の種類の情報記録媒体の中から前記トレイに装着された情報記録媒体の種類を判別して、情報を再生する情報再生装置であって、
前記複数の種類の情報記録媒体について媒体判別する順番が予め設定されており、
前記複数の種類の情報記録媒体のいずれかを選択した媒体選択情報を入力する媒体選択情報入力手段と、
前記媒体選択情報入力手段を介して選択された情報記録媒体の種類を最優先の順番として、前記予め設定された順番を修正する修正手段と、
修正した順番に従って、装着された情報記録媒体の媒体判別を行う媒体判別手段と、
を有することを特徴とする情報再生装置。
【請求項２】
前記複数の種類の情報記録媒体について媒体判別する順番を優先リストとして記憶する優先リスト記憶手段を有することを特徴とする請求項１記載の情報再生装置。
【請求項３】
前記修正手段で修正された順番を前記優先リスト記憶手段に記憶させる優先リスト反映手段を有することを特徴とする請求項２記載の情報再生装置。
【請求項４】
情報記録媒体を装着する１つのトレイを備えており、再生可能な同一内径を有する複数の種類の情報記録媒体の中から前記トレイに装着された情報記録媒体の種類を判別して、情報を再生する情報再生装置であって、
前記複数の種類の情報記録媒体について媒体判別する順番を記す優先リストを前記複数の種類の情報記録媒体ごとに記憶している優先リスト記憶手段と、
前記複数の種類の情報記録媒体のいずれかを選択した媒体選択情報を入力する媒体選択情報入力手段と、
前記媒体優先情報記憶手段に記憶された優先リストのうち、前記媒体選択情報入力手段を介して選択された情報記録媒体の種類に関する優先リストを取得し、前記選択された情報記録媒体の種類を最優先の順番として、取得した優先リストを修正する第１の優先リスト修正手段と、
修正した優先リストの順番に従って、装着された情報記録媒体の媒体判別を行う媒体判別手段と、
前記選択された情報記録媒体の種類と、再生された複数の種類の情報記録媒体それぞれの回数を対応付けた相関データを記憶する相関データ記憶手段と、
前記相関データ記憶手段に記憶された相関データに基づいて、前記選択された情報記録媒体の種類に関する優先リストを修正する第２の優先リスト修正手段と、
前記第２の優先リスト修正手段で修正された優先リストを前記優先リスト記憶手段に記憶させる修正優先リスト反映手段と、
を有することを特徴とする情報再生装置。
【請求項５】
前記複数の種類の情報記録媒体それぞれに対応した複数の媒体選択ボタンを備え、
媒体選択情報入力手段は、
操作された媒体選択ボタンに対応付けられた情報記録媒体の媒体選択情報を入力することを特徴とする請求項１乃至４のいずれか１項に記載の情報再生装置。
【請求項６】
媒体選択情報入力手段を介して選択された情報記録媒体の種類を表示する媒体選択表示手段を前記情報再生装置の前面又は前記トレイのうち少なくともいずれか一方に備えることを特徴とする請求項５記載の情報再生装置。
【発明の詳細な説明】
【技術分野】
【０００１】
本発明は、複数種類の情報記録媒体の再生が可能な情報再生装置に関し、特に、当該情報再生装置においてほぼ同一内径を有する情報記録媒体の種類を判別する技術に関する。
【背景技術】
【０００２】
光ディスクはCD、VideoCD、DVD、BD、HD−DVD等同一内径、同一厚みで多くの種類が存在する。【０００３】
複数種類の光ディスクに対応した再生処理を行う光ディスク再生装置においては、挿入された光ディスクの種類を高速に判別することは、起動時間を短縮する上で重要な要素である。【０００４】
光ディスクの種類を高速に判別する方法としては、ユーザが予め定めた優先順位、あるいは過去の再生履歴に従って、光ディスクの種類を順次選択し、ローディングしていくという方法がある（例えば、特許文献１参照。）。【０００５】
【特許文献１】特開２００６−１５５７３８号公報
【発明の開示】
【発明が解決しようとする課題】
【０００６】
しかしながら、上述した方法のユーザが予め定めた優先順位に従って、光ディスクの種類を判別する場合には、優先順位が低い光ディスクを挿入したときには、判別に時間がかかるという問題がある。【０００７】
また、同様に過去の再生履歴に従って、光ディスクの種類を判別する場合には、過去に使用頻度が低かった光ディスクを挿入したときには、判別に時間がかかるという問題がある。【０００８】
本発明は、上記の問題を解決するためになされたものであり、その課題の一例としては、情報記録媒体の種類の判別を迅速に行うことができる情報再生装置を提供することにある。
【課題を解決するための手段】
【０００９】
上記の課題を達成するため、請求項１記載の情報再生装置は、情報記録媒体を装着する１つのトレイを備えており、再生可能な同一内径を有する複数の種類の情報記録媒体の中から前記トレイに装着された情報記録媒体の種類を判別して、情報を再生する情報再生装置であって、前記複数の種類の情報記録媒体について媒体判別する順番が予め設定されており、前記複数の種類の情報記録媒体のいずれかを選択した媒体選択情報を入力する媒体選択情報入力手段と、前記媒体選択情報入力手段を介して選択された情報記録媒体の種類を最優先の順番として、前記予め設定された順番を修正する修正手段と、修正した順番に従って、装着された情報記録媒体の媒体判別を行う媒体判別手段と、を有することを特徴とする。【００１０】
請求項３記載の情報再生装置は、情報記録媒体を装着する１つのトレイを備えており、再生可能な同一内径を有する複数の種類の情報記録媒体の中から前記トレイに装着された情報記録媒体の種類を判別して、情報を再生する情報再生装置であって、前記複数の種類の情報記録媒体について媒体判別する順番を記す優先リストを前記複数の種類の情報記録媒体ごとに記憶している優先リスト記憶手段と、前記複数の種類の情報記録媒体のいずれかを選択した媒体選択情報を入力する媒体選択情報入力手段と、前記媒体優先情報記憶手段に記憶された優先リストのうち、前記媒体選択情報入力手段を介して選択された情報記録媒体の種類に関する優先リストを取得し、前記選択された情報記録媒体の種類を最優先の順番として、取得した優先リストを修正する第１の優先リスト修正手段と、修正した優先リストの順番に従って、装着された情報記録媒体の媒体判別を行う媒体判別手段と、前記選択された情報記録媒体の種類と、再生された複数の種類の情報記録媒体それぞれの回数を対応付けた相関データを記憶する相関データ記憶手段と、前記相関データ記憶手段に記憶された相関データに基づいて、前記選択された情報記録媒体の種類に関する優先リストを修正する第２の優先リスト修正手段と、前記第２の優先リスト修正手段で修正された優先リストを前記優先リスト記憶手段に記憶させる修正優先リスト反映手段と、を有することを特徴とする。
【図面の簡単な説明】
【００１１】
【図１】本発明の第１の実施の形態に係る光ディスク再生装置の概略構成図である。
【図２】本発明の第１の実施の形態に係る光ディスク再生装置及びその変形例の正面図である。
【図３】本発明の第１の実施の形態におけるプライオリティリストの一例である。
【図４】本発明の第１の実施の形態に係る光ディスク再生装置の媒体判別処理を示すフローチャートである。
【図５】本発明の第１の実施の形態におけるプライオリティリストの修正を説明する図である。
【図６】本発明の第１の実施の形態に係る光ディスク再生装置の選択媒体表示機能を示す外観図である。
【図７】本発明の第１の実施の形態に係る光ディスク再生装置の変形例が備えるボタンの種類及び各ボタンの機能を示す表である。
【図８】本発明の第２の実施の形態に係る光ディスク再生装置の概略構成図である。
【図９】本発明の第２の実施の形態におけるプライオリティリスト及び相関リストの一例である。
【図１０】本発明の第２の実施の形態に係る光ディスク再生装置の媒体判別処理を示すフローチャートである。
【図１１】本発明の第２の実施の形態におけるプライオリティリスト及び相関リストの更新を説明する図である。
【図１２】媒体選択ボタンの変形例を示す外観図である。
【符号の説明】
【００１２】
１，２  光ディスク再生装置
１０  光ディスク
１１  ピックアップ部
１２  信号処理部
１３，２３  制御部
１４  駆動部
１５，２５  媒体判定情報記憶部
１６，２６  プライオリティリスト
２７  相関リスト
１０１，２０１，３０１  媒体選択ボタン
１０２  オープン／クローズボタン
１０３  再生ボタン
１０４  トレイ
【発明を実施するための最良の形態】
【００１３】
以下、本発明の実施の形態を図面を用いて説明する。【００１４】
（第１の実施の形態）
図１は、本発明の第１の実施の形態に係る光ディスク再生装置１の概略構成図である。図１に示す光ディスク再生装置１は、複数種類の光ディスク１０を再生することが可能な情報再生装置であり、光ディスク１０を再生する前に光ディスク再生装置１に装着された光ディスク１０の種類（媒体）を判別する機構を備えている。なお、本実施の形態における光ディスク１０としては、ＤＶＤ（Digital Versatile Disc）、ＣＤ（Compact Disc）及びＢＤ（Blu-ray Disc）の３種類の情報記録媒体を一例として説明するが、本発明はこれに限定されるものではなく、これ以外の種類の光ディスク１０であってもよいし、また、４種類以上の光ディスク１０であってもよい。【００１５】
光ディスク再生装置１のピックアップ部１１は、光ディスク１０に記録されている信号を読み出す光学式ピックアップであり、レーザ光を光ディスク１０に照射し、その反射光を電気信号に変換して信号処理部１２に出力するようになっている。【００１６】
信号処理部１２は、電気信号に波形成形処理やノイズ除去処理、及びデジタル変換処理などを施して、再生信号（ＲＦ信号）を不図示の再生回路等に出力するようになっている。また、信号処理部１２は、上述した電気信号からサーボエラー信号（フォーカスエラー信号、トラッキングエラー信号）を生成して、制御部１３に出力するようになっている。【００１７】
制御部１３は、ピックアップ部１１の移動制御を行うようになっており、サーボエラー信号からフォーカス制御及びトラッキング制御のための駆動信号を生成し、駆動部１４に出力するようになっている。また、制御部１３は、ユーザからの操作指示情報を受けて、装着された光ディスク１０の種類判別を行う媒体判別処理を行うようになっている。ここで、ユーザからの操作指示情報とは、ユーザが光ディスク１０の種類を選択したことを示す媒体選択情報であって、例えば、図２（ａ）に示すような複数の媒体選択ボタン１０１のいずれかが押下されることによって入力される。また、媒体判別処理とは、所定の媒体の光学系のパラメータ（光源、対物レンズ、収差補正など）を設定して行う媒体チェック処理であり、フォーカスエラー信号におけるＳ時チェック、ディスクの信号面の位置チェック、ＲＦ信号の有無チェック、データ信号の正当性チェックなどを行い、装着された光ディスク１０が光学系パラメータを設定した媒体であるか否かを判定する。チェックの結果、装着された光ディスク１０が光学系パラメータを設定した媒体でないときは、異なる媒体の光学系のパラメータを設定して、上記媒体チェック処理を繰り返す。本実施の形態では、後述するように、選択された媒体の光学系のパラメータを最優先に設定して、媒体チェック処理を行う。【００１８】
図２（ａ）は、本実施の形態に係る光ディスク再生装置１の正面図である。光ディスク再生装置１の外観的な特徴としては、１つのトレイ１０４を備えるとともに、複数の媒体選択ボタン１０１（具体的には、ＢＤ選択ボタン１０１ａ、ＣＤ選択ボタン１０１ｂ、ＤＶＤ選択ボタン１０１ｃ）を備えている。媒体選択ボタン１０１の操作は、再生すべき光ディスク１０の種類選択を意味するようになっており、例えば、ユーザがＢＤ選択ボタン１０１ａを押下したときは、ＢＤを再生媒体として光ディスク再生装置１に指示したものであり、また、ユーザがＤＶＤ選択ボタン１０１ｂを押下したときは、ＤＶＤを再生媒体として光ディスク再生装置１に指示したものである。すなわち、ユーザが所定の種類の光ディスク１０を再生しようとするときは、当該種類の光ディスク１０をトレイ１０４にセットすることにより、ユーザ自身は、再生すべき媒体を認識しているのであるから、このユーザの媒体選択意思（媒体選択情報）を、媒体選択ボタン１０１を介して光ディスク再生装置１に入力するものである。【００１９】
なお、本実施の形態の媒体選択ボタン１０１は、媒体選択以外の機能も備えており、トレイ１０４のオープン＆クローズ機能、及び再生機能も備えるものである。すなわち、トレイ１０４が閉じた状態における１回目の媒体選択ボタン１０１の操作は、トレイ１０４のオープン及び媒体選択を意味し、トレイ１０４が開いた状態における２回目の媒体選択ボタン１０１の操作は、媒体確定、トレイ１０４のクローズ及び再生を意味する。例えば、トレイ１０４が閉じた状態におけるＤＶＤ選択ボタン１０１ｃの操作は、トレイ１０４のオープン、媒体として「ＤＶＤ」を選択したことを意味し、トレイ１０４が開いた状態におけるＤＶＤ選択ボタン１０１ｃの操作は、選択された「ＤＶＤ」の媒体確定、トレイ１０４のクローズ、及び光ディスク１０の再生を意味する。【００２０】
駆動部１４は、駆動信号に基づいて、光ピックアップ装置１１内のアクチュエータ（図示せず）を駆動させて、光ピックアップ装置１１を光ディスク１０に対して垂直方向に移動させたり、光ピックアップ装置１１を光ディスク１０の半径方向に移動させたりするようになっている。【００２１】
媒体判別情報記憶部１５は、制御部１３が上述した媒体判別処理を行う際に参照するプライオリティリスト１６を記憶している。本実施の形態のプライオリティリスト１６を図３に示す。プライオリティリスト１６は、光ディスク再生装置１が再生可能な複数の種類の光ディスク１０について媒体判別処理を行う順番（順位）を記したリストであって、例えば、図３に示すプライオリティリスト１６は、ＤＶＤ→ＣＤ→ＢＤの順に媒体判別処理を行うことを示している。なお、媒体判別情報記憶部１５は、各媒体に対して予め定められた順位を初期値としたプライオリティリスト１６を記憶している（出荷時における各媒体の使用頻度を考慮して設定されている）。【００２２】
次に、図４を参照して、本実施の形態に係る光ディスク再生装置１の媒体判別処理について説明する。図４は、光ディスク再生装置１の媒体判別処理を示すフローチャートである。【００２３】
光ディスク再生装置１は、媒体選択ボタン１０１が操作されたか否かを判定する（ステップＳ１０）。媒体選択ボタン１０１が操作されたときは、光ディスク再生装置１は、入力された媒体選択情報に従って、どの媒体（光ディスク１０の種類）が選択されたかを認識し、次いで、トレイ１０４をオープンする（ステップＳ２０，Ｓ３０）。【００２４】
次に、光ディスク１０を装着された光ディスク再生装置１は、媒体選択ボタン１０１が操作されたか否かを判定する（ステップＳ４０）。媒体選択ボタン１０１が操作されたときは、入力された媒体選択情報が確定したものとして、トレイ１０４をクローズする（ステップＳ５０，Ｓ６０）。【００２５】
次に、光ディスク再生装置１は、プライオリティリスト１６を取得して、取得したプライオリティリスト１６の内容を修正する（ステップＳ７０）。これは、選択された媒体の順位を最上位（１位）に設定し、他の媒体の順位を順次繰り下げるものである。例えば、図５に示すようなプライオリティリスト１６を備えた光ディスク再生装置１において、ＣＤが選択されたときには、ＣＤを１位に設定し、ＤＶＤを２位、ＤＶＤを３位に設定する。【００２６】
次に、光ディスク再生装置１は、更新されたプライオリティリスト１６の順位に従って、媒体ごとに媒体チェックを行う（ステップＳ８０）。そして、装着された光ディスク１０がプライオリティリスト１６内の媒体であることが確認されたときは、再生中止の指示を受けるまで、再生処理を行う（ステップＳ９０〜Ｓ１１０）。なお、装着された光ディスク１０がプライオリティリスト１６内の媒体であることが確認されないときは、処理を終了する（ステップＳ９０）。【００２７】
なお、本実施の形態においては、トレイ１０４が閉じた状態で最初に操作された媒体選択ボタン１０１と、その後、トレイ１０４が開いた状態でトレイ１０４に光ディスク１０を装着した後に操作された媒体選択ボタン１０１とが異なっていても、トレイ１０４のクローズ、及び再生を許可しており、最初に操作された媒体選択ボタン１０１が示す媒体を選択するようにしているが、本発明はこれに限定されず、後に操作された媒体選択ボタン１０１が示す媒体を選択するようにしてもよい。この場合には、ユーザが誤った媒体を選択しても、媒体の修正が可能となる。【００２８】
また、本実施の形態においては、ステップＳ７０において修正されたプライオリティリスト１６は、ステップＳ８０の媒体チェックで参照されるだけであり、媒体判定情報記憶部１５には反映されない（本実施の形態の媒体判別処理で取得されるプライオリティリスト１６は、毎回、同一の内容（初期状態の内容）である）が、これとは別に、ステップＳ７０において修正されたプライオリティリスト１６を媒体判定情報記憶部１５に反映させるようにしてもよい。これにより、過去の媒体選択履歴をプライオリティリスト１６の内容に反映させることができる。【００２９】
以上、本実施の形態の光ディスク再生装置１によれば、媒体判別処理の媒体優先順位を記したプライオリティリスト１６を、ユーザが選択した媒体を最優先順位（１位）に設定して修正し、この修正されたプライオリティリスト１６に従って、装着された光ディスク１０の種類を判別するので、装着された光ディスク１０の種類を迅速に判別することができる。すなわち、ユーザが再生しようと認識している媒体と実際に装着した媒体が一致している場合には、最初の（１回目の）媒体チェック処理で媒体を判別することができるので、起動時間を短縮することができるものである。【００３０】
また、本実施の形態の媒体選択ボタン１０１は、図６（ａ）に示すように、押下された媒体選択ボタン１０１を点灯（又は点滅）させる媒体選択表示機能を備えているので、ユーザは自らが選択した媒体を視覚的に確認することができる。さらには、トレイ１０４のディスク載置面には、選択された媒体名を表示するディスプレイ１０４ａ（例えば、有機ＥＬなど）が設けられているので、ユーザが光ディスク１０を挿入する際に、誤った媒体を挿入することを防止することができる。【００３１】
なお、本実施の形態の媒体選択ボタン１０１の配置位置は、図６（ａ）に限定されるものではなく、図６（ｂ）に示すような配置位置、つまりトレイ１０４の下方部に媒体選択ボタン１０１を設けてもよい。この場合には、ディスク載置面が透明なトレイ１０４を備えているので、ユーザが光ディスク１０を挿入する際には、ディスク載置面を介して点灯した媒体選択ボタン１０１を確認することができる。【００３２】
また、複数の媒体選択ボタン１０１の各ボタン間の距離に工夫を施してもよい。詳しくは、媒体選択を間違いそうな媒体選択ボタン１０１間の間隔を他の媒体選択ボタン１０１間との間隔より長く設定して配置するものである。例えば、ＢＤとＤＶＤの媒体選択間違いが頻繁に発生しそうな場合には、図２（ａ）に示すようにＢＤ選択ボタン１０１ａとＤＶＤ選択ボタン１０１ｃとの距離を、ＢＤ選択ボタン１０１ａとＣＤ選択ボタン１０１ｂとの距離、及びＣＤ選択ボタン１０１ｂとＤＶＤ選択ボタン１０１ｃとの距離より長くして、各媒体選択ボタン１０１を配置すればよい。これにより、意図しない媒体選択ボタン１０１を誤って操作することを可及的に防止することができる。【００３３】
さらには、本実施の形態においては、媒体選択ボタン１０１だけを用いて媒体選択、媒体確定、トレイの開閉、及び再生の指示を光ディスク再生装置１に与えるようにしたが、本発明はこれに限定されず、他の操作ボタン（トレイ開閉ボタン、再生ボタン）を加えて、各指示を光ディスク再生装置１に与えるようにしてもよい。図７に他の操作ボタンを備えたときの各ボタンが意味する機能、及びボタンの組み合わせパターンを示す。なお、図７に示す一覧表の機能欄の（１）はトレイ１０４が閉じた状態における各ボタンの機能を示しており、（２）はトレイ１０４が開いた状態における各ボタンの機能を示している。また、「○」はボタンが存在すること、「×」はボタンが存在しないことを示している。【００３４】
パターンＡは、本実施の形態におけるボタン構成である。また、パターンＢは、図２（ｂ）に示すように、媒体選択ボタン１０１に加えて、トレイ１０４の開閉ボタン１０２を備えた構成である。また、パターンＣは、図２（ｃ）に示すように、媒体選択ボタン１０１に加えて、トレイ１０４の開閉ボタン１０２及び再生ボタン１０３を備えた構成である。また、パターンＤは、媒体選択ボタン１０１に加えて、再生ボタン１０３を備えた構成である。【００３５】
例えば、パターンＢの場合には、トレイ１０４が閉じた状態において媒体選択ボタン１０１を操作することにより、トレイ１０４がオープンし、媒体が選択される。また、トレイ１０４が開いた状態（光ディスク１０は装着済み）において、開閉ボタン１０２を操作することにより、選択された媒体を確定し、トレイ１０４をクローズし、再生を行う。勿論、パターンＢの場合であっても、本実施の形態と同様に媒体選択ボタン１０１だけを用いて操作してもよい（図７参照）。なお、パターンＢの場合には、図４に示す媒体判別処理のステップＳ１０及びステップＳ４０において、媒体選択ボタン１０１の操作をチェックする他、開閉ボタン１０２の操作をチェックするようになっている。また、パターンＢの場合には、媒体選択ボタン１０１を一切操作することなく、光ディスク１０を再生することが可能であるが、このときには初期状態のプライオリティリスト１６の優先順位に基づいて、ステップＳ８０の媒体チェックを行うものである（ステップＳ７０においてプライオリティリストは修正されない）。【００３６】
なお、図７に示す媒体選択ボタン１０１は、媒体選択以外の機能（トレイ１０４のオープン・クローズや再生）も兼用していたが、これとは別に、媒体選択ボタン１０１に媒体選択だけの機能を持たせるようにしてもよい。【００３７】
（第２の実施の形態）
図８は、本発明の第２の実施の形態に係る光ディスク再生装置２の概略構成図である。図９に示す光ディスク再生装置２は、光ディスク再生装置１と略同一の構成をしているが、媒体判定情報記憶部２５に記憶されている情報に相違があるので、媒体判別処理が第１の実施の形態と異なっている。なお、本実施の形態においても光ディスク１０としては、ＤＶＤ（Digital Versatile Disc）、ＣＤ（Compact Disc）及びＢＤ（Blu-ray Disc）の３種類の情報記録媒体を一例として説明するが、光ディスク１０の種類はこれに限定されるものではない。尚、本実施の形態においては、第１の実施の形態と異なる構成及び機能のみ説明し、その他の構成及び機能については同一部分には同一符号を付して説明を省略する。【００３８】
制御部２３は、ピックアップ部１１の移動制御を行うようになっており、サーボエラー信号からフォーカス制御及びトラッキング制御のための駆動信号を生成し、駆動部１４に出力するようになっている。また、制御部２３は、ユーザからの操作指示情報を受けて、光ディスク１０の種類判別を行う媒体判別処理を行うようになっている。なお、本実施の形態においても、第１の実施の形態と同様に、図２（ａ）に示すような複数の媒体選択ボタン１０１を備えることによって、操作指示情報が入力される。【００３９】
媒体判定情報記憶部２５は、制御部２３が上述した媒体判別処理を行う際に参照するプライオリティリスト２６及び相関リスト２７を記憶している。本実施の形態のプライオリティリスト２６を図９（ａ）に示す。プライオリティリスト２６は、媒体選択ボタン１０１（選択された媒体）ごとに、光ディスク再生装置２が再生可能な複数の種類の光ディスク１０について媒体判別処理を行う順番（順位）を記したリストである。例えば、図９（ａ）に示すＤＶＤ選択に関するプライオリティリスト２６は、ユーザによってＤＶＤが選択されたときに参照されるプライオリティリストで、ＤＶＤ→ＣＤ→ＢＤの順に媒体判別処理を行うことを示している。また、本実施の形態の相関リスト２７を図９（ｂ）に示す。相関リスト２７は、選択された媒体と実際に再生された媒体との相関関係を示す履歴リストであって、媒体選択ボタン１０１（選択された媒体）ごとに各媒体の再生回数に関する情報を備えている。例えば、図９（ｂ）に示すＤＶＤ選択に関する相関リスト２７は、ユーザによってＤＶＤが選択されたとき参照される相関リストであり、ＤＶＤが５０回再生され、ＢＤが１０回再生され、ＣＤが５回再生されていることを示している（ＢＤの１０回及びＣＤの５回は、ユーザが誤った媒体を装着した回数を示している）。この相関リスト２７は、後述するようにプライオリティリスト２６の更新に用いられ、相関リスト２７によって更新されたプライオリティリスト２６が媒体判定情報記憶部２５に記憶される。すなわち、ユーザが誤って媒体選択ボタン１０１を操作したときの統計情報も加味して、プライオリティリスト２６の内容に反映させる。なお、媒体判別情報記憶部２５は、各媒体に対して予め定められた順位を初期値としたプライオリティリスト２６を記憶している（出荷時における各媒体の使用頻度を考慮して設定されており、最優先順位には、勿論、各媒体選択ボタン１０１が示す媒体が設定されている）。【００４０】
次に、図１０を参照して、本実施の形態に係る光ディスク再生装置２の媒体判別処理について説明する。図１０は、光ディスク再生装置２の媒体判別処理を示すフローチャートである。【００４１】
光ディスク再生装置２は、媒体選択ボタン１０１が操作されたか否かを判定する（ステップＳ２１０）。媒体選択ボタン１０１が操作されたときは、光ディスク再生装置２は、入力された媒体選択情報に従って、どの媒体（光ディスク１０の種類）が選択されたかを認識し、次いで、トレイ１０４をオープンする（ステップＳ２２０，Ｓ２３０）。【００４２】
次に、光ディスク１０を装着された光ディスク再生装置２は、媒体選択ボタン１０１が操作されたか否かを判定する（ステップＳ２４０）。媒体選択ボタン１０１が操作されたときは、入力された媒体選択情報が確定したものとして、トレイ１０４をクローズする（ステップＳ２５０，Ｓ２６０）。【００４３】
次に、光ディスク再生装置２は、選択された媒体に関するプライオリティリスト２６を取得して、取得したプライオリティリスト１６の内容を修正する（ステップＳ２７０）。これは、詳しくは、選択された媒体の順位を最上位（１位）に設定し、他の媒体の順位を順次繰り下げるものである。例えば、図１１に示すようなプライオリティリスト２６を備えた光ディスク再生装置２において、ＤＶＤが選択されたときには、ＤＶＤに関するプライオリティリスト２６を取得して、ＤＶＤを１位に設定し、ＣＤを２位、ＢＤを３位に設定する（この場合は、プライオリティリスト２６の順位の変動はない）。【００４４】
次に、光ディスク再生装置２は、修正されたプライオリティリスト２６の順位に従って、媒体ごとに媒体チェックを行う（ステップＳ２８０）。そして、装着された光ディスク１０がプライオリティリスト２６内の媒体であることが確認されたときは、選択された媒体に関する相関リスト２７を取得して、確認された媒体の再生回数をインクリメントして、更新する（ステップＳ２９０，Ｓ３００）。例えば、図１１に示すような相関リスト２７を備える光ディスク再生装置２において、ＤＶＤを選択して、ＤＶＤが確認された場合（ＤＶＤが再生される場合）には、ＤＶＤの再生回数を５０から５１に更新する。また、ＤＶＤを選択して、ＢＤが確認された場合（ＢＤが再生される場合）には、ＢＤの再生回数を５から６に更新する。【００４５】
次に、光ディスク再生装置２は、更新された相関リスト２７に基づいて、プライオリティリスト２６を修正して（プライオリティリスト２６の２位以下の順位を、相関リスト２７の２位以下の再生回数の多い順に書き換える）、当該プライオリティリスト２６の内容を媒体判定情報記憶部２５に記憶させる（ステップＳ３１０）。例えば、図１１に示すようなＤＶＤに関する相関リスト２７（再生回数がＤＶＤ５０回、ＣＤ５回、ＢＤ６回を示す相関リスト）の場合には、ＤＶＤに関するプライオリティリスト２６の優先順位は、ＤＶＤ→ＢＤ→ＣＤの順となる。【００４６】
次に、光ディスク再生装置２は、再生中止の指示を受けるまで、再生処理を行う（ステップＳ３２０〜Ｓ３３０）。なお、ステップＳ２９０において、装着された光ディスク１０がプライオリティリスト２６内の媒体であることが確認されないときは、処理を終了する。【００４７】
以上、本実施の形態の光ディスク再生装置２によれば、媒体判別処理の媒体優先順位を記したプライオリティリスト２６を、ユーザが選択した媒体を最優先順位（１位）に設定して修正し、この修正されたプライオリティリスト２６に従って、装着された光ディスク１０の種類を判別するので、装着された光ディスク１０の種類を迅速に判別することができる。すなわち、ユーザが再生しようと認識している媒体と実際に装着した媒体が一致している場合には、最初の（１回目の）媒体チェック処理で媒体を判別することができるので、起動時間を短縮することができるものである。【００４８】
また、ユーザが誤った場合、つまり、ユーザが再生しようと認識している媒体と実際に装着した媒体が一致していない場合においても、間違えたときの統計情報を備えた相関リスト２７を備えており、当該相関リストの内容を反映したプライオリティリスト２６によって、装着された光ディスク１０の種類を判別するので、装着された光ディスク１０の種類を迅速に判別することができる。すなわち、過去の統計情報から間違えやすい媒体に関しては、優先順位を高くして媒体チェック処理を行うので、起動時間を短縮することができるものである。【００４９】
（その他実施の形態）
以上、本発明の実施の形態について説明してきたが、本発明の要旨を逸脱しない範囲において、本発明の実施の形態に対して種々の変形や変更を施すことができる。【００５０】
例えば、上記実施の形態の光ディスク再生装置は、複数の媒体の中からいずれかを選択するために複数の媒体選択ボタン１０１を備えるようにしたが、複数の媒体の中からいずれかを選択する機構は複数の媒体選択ボタン１０１に限られない。例えば、１つの媒体選択ボタンによって、複数の媒体を選択できるようにしてもよい。図１２は、複数の媒体を選択可能な１つの媒体選択ボタン２１０及び３０１の断面図である。図１２（ａ）に示す媒体選択ボタン２０１は、２段構成のボタンであり、弱い力Ｆ１で１段目のボタンのスイッチが動作して、媒体選択を行い、強い力Ｆ２で２段目のボタンのスイッチが動作して、選択された媒体を確定するようになっている。また、図１２（ｂ）に示す媒体選択ボタン３０１は、ジョグダイアル式の媒体選択ボタンであり、Ｒ方向に回転させることで媒体選択を行い、Ｆ方向に押下することで選択された媒体を確定するようになっている。さらには、選択可能な複数の媒体の数と、媒体選択ボタンの数は一致していなくてもよく、例えば、ＢＤ用の媒体選択ボタンとＣＤ／ＤＶＤ兼用の媒体選択ボタンを備えるような構成であってもよい。【００５１】
また、上記実施の形態では、光ディスク再生装置本体が媒体選択ボタン１０１、２０１及び３０１を備える構成であったが、これに代えて又はこれに加えて、リモートコントローラ（リモコン）が媒体選択ボタン１０１、２０１及び３０１を備えるようにしてもよい。【００５２】
なお、上記実施形態においては、優先リスト（プライオリティリスト）を備えて、優先リストを書き換えすることにより、媒体判別の順序を決定したが、必ずしも、優先リストと優先リストの書き換えは必要ではなく、予め光ディスク再生装置に組み込まれたロジック（プログラム）により決定してもよい（予め設定された媒体判別順序をデータとして保持しなくてもよい）。【００５３】
例えば、予め設定された媒体判別順序を１：CD、２：VideoCD、３：SACD、４：DVD、５BD、６：HD-DVDとしていた場合において、ユーザーが４：DVDボタンを押した場合には、判別のルーチンとして、４：DVD、５BD、６：HD-DVD、１：CD、２：VideoCD、３：SACD、の順番にチェックするようにしてもよい。あるいは別の判別のルーチンとして、４：DVD、１：CD、２：VideoCD、３：SACD、５BD、６：HD-DVDという順番にチェックするようにしてもよい。
【図１】
2008047413.tif 000003
【図２】
2008047413.tif 000004
【図３】
2008047413.tif 000005
【図４】
2008047413.tif 000006
【図５】
2008047413.tif 000007
【図６】
2008047413.tif 000008
【図７】
2008047413.tif 000009
【図８】
2008047413.tif 000010
【図９】
2008047413.tif 000011
【図１０】
2008047413.tif 000012
【図１１】
2008047413.tif 000013
【図１２】
2008047413.tif 000014
【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
情報記録媒体を装着する１つのトレイを備えており、再生可能な同一内径を有する複数の種類の情報記録媒体の中から前記トレイに装着された情報記録媒体の種類を判別して、情報を再生する情報再生装置であって、
前記複数の種類の情報記録媒体について媒体判別する順番を記す優先リストを前記複数の種類の情報記録媒体ごとに記憶している優先リスト記憶手段と、
前記複数の種類の情報記録媒体のいずれかを選択した媒体選択情報を入力する媒体選択情報入力手段と、
前記媒体優先情報記憶手段に記憶された優先リストのうち、前記媒体選択情報入力手段を介して選択された情報記録媒体の種類に関する優先リストを取得し、前記選択された情報記録媒体の種類を最優先の順番として、取得した優先リストを修正する第１の優先リスト修正手段と、
修正した優先リストの順番に従って、装着された情報記録媒体の媒体判別を行う媒体判別手段と、
前記選択された情報記録媒体の種類ごとに、再生された情報記録媒体の種類と、再生回数を対応付けた相関データを記憶している相関データ記憶手段と、
前記選択された情報記録媒体の種類及び再生された情報記録媒体の種類に基づいて、該当する前記相関データの再生回数を更新し、更新した前記相関データを前記相関データ記憶手段に記憶させる相関データ更新手段と、
前記相関データ記憶手段に記憶された相関データに基づいて、前記選択された情報記録媒体の種類に関する優先リストを修正する第２の優先リスト修正手段と、
前記第２の優先リスト修正手段で修正された優先リストを前記優先リスト記憶手段に記憶させる修正優先リスト反映手段と、
を有することを特徴とする情報再生装置。
【請求項５】
前記複数の種類の情報記録媒体それぞれに対応した複数の媒体選択ボタンを備え、
媒体選択情報入力手段は、
操作された媒体選択ボタンに対応付けられた情報記録媒体の媒体選択情報を入力することを特徴とする請求項４記載の情報再生装置。
【請求項６】
媒体選択情報入力手段を介して選択された情報記録媒体の種類を表示する媒体選択表示手段を前記情報再生装置の前面又は前記トレイのうち少なくともいずれか一方に備えることを特徴とする請求項５記載の情報再生装置。
【手続補正２】
【補正対象書類名】明細書
【補正対象項目名】０００２
【補正方法】変更
【補正の内容】
【０００２】
課題を解決するための手段
［０００９］
［００１０］
上記の課題を達成するため、請求項４記載の情報再生装置は、情報記録媒体を装着する１つのトレイを備えており、再生可能な同一内径を有する複数の種類の情報記録媒体の中から前記トレイに装着された情報記録媒体の種類を判別して、情報を再生する情報再生装置であって、前記複数の種類の情報記録媒体について媒体判別する順番を記す優先リストを前記複数の種類の情報記録媒体ごとに記憶している優先リスト記憶手段と、前記複数の種類の情報記録媒体のいずれかを選択した媒体選択情報を入力する媒体選択情報入力手段と、前記媒体優先情報記憶手段に記憶された優先リストのうち、前記媒体選択情報入力手段を介して選択された情報記録媒体の種類に関する優先リストを取得し、前記選択された情報記録媒体の種類を最優先の順番として、取得した優先リストを修正する第１の優先リスト修正手段と、修正した優先リストの順番に従って、装着された情報記録媒体の媒体判別を行う媒体判別手段と、前記選択された情報記録媒体の種類ごとに、再生された情報記録媒体の種類と、再生回数を対応付けた相関データを記憶している相関データ記憶手段と、前記選択された情報記録媒体の種類及び再生された情報記録媒体の種類に基づいて、該当する前記相関データの再生回数を更新し、更新した前記相関データを前記相関データ記憶手段に記憶させる相関データ更新手段と、前記相関データ記憶手段に記憶された相関データに基づいて、前記選択された情報記録媒体の種類に関する優先リストを修正する第２の優先リスト修正手段と、前記第２の優先リスト修正手段で修正された優先リストを前記優先リスト記憶手段に記憶させる修正優先リスト反映手段と、を有することを特徴とする。
図面の簡単な説明
【国際調査報告】
2008047413.tif 000015
2008047413.tif 000016
2008047413.tif 000017
2008047413.tif 000018